Podtech/llm-jp-corpus-v4-ja_patent huggingface dataset:
(57)【要約】【課題】  本発明は、製造が容易であり、他の部品を使用せず、簡単な操作で確実に水切りをすることのできる、安価で使い勝手のよい自立式水切りコップを提供することを目的とするものである。【解決手段】本発明の自立式水切りコップは、コップ本体の一部に持ち手を備えたコップであって、持ち手が土台となってコップ本体を支えて載置することができ、その際コップ本体の開口部が斜下向きになるように設計されていることを特徴とするものである。【選択図】  図１
2006095257.tif 000002
【特許請求の範囲】
【請求項１】
コップ本体の一部に持ち手を備えたコップであって、持ち手が土台となってコップ本体を支えて載置することができ、その際コップ本体の開口部が斜下向きになるように設計されていることを特徴とする自立式水きりコップ。
【請求項２】
コップの持ち手部分を下にして水平面に載置したときに、コップ本体を所定の姿勢位置に規定する規定面を有していること特徴とする請求項１記載の自立式水きりコップ。
【発明の詳細な説明】
【技術分野】
【０００１】本発明は、衛生的に水きりできる自立式のコップに関するものである。
【背景技術】
【０００２】従来、洗面所等で使用されている持ち手を備えたコップは、使用後、開口部を上に向けた状態で洗面台等の上に設置されるため、コップの中に付着した水滴が内部に溜ったままになり、雑菌の繁殖等で不衛生になる。しかし、開口部が下向きになるように洗面台等に設置すると、開口部が台と接触し、衛生状態によっては内部に汚れが残り、かえって不衛生になる恐れもある。【０００３】このような不具合に対して、コップの持ち手や本体に孔状部分を設け、壁面のフック等と結合させコップを斜下向きに設置して水きりを行うものが提案されている。【０００４】
【特許文献１】実用新案登録第３０６３１６２号公報
【特許文献２】特開２００１−２５４３３号広報
【特許文献３】特開２００４−１８７７９４号広報
【発明が解決しようとする課題】
【０００５】しかしながら、文献１のコップは、壁面フック等を設置し、それと係合させて使用する為壁面にキズをつけたり、備え付けの壁面によって使用が制限される場合がある。
【０００６】文献２のコップは、部品点数が多く、材料が余分に必要でコストアップになると共に、コップ本体を保持部に掛ける際には、保持部の溝とコップ本体の突状部を係合させる手間が必要で非常に面倒である。
【０００７】文献３のコップは、文献１と同様に壁面フックを使用する為、壁面の状態によって使用が制限され、コップを別の場所で使用する際には、壁面フックも取り付けなおす必要がある。また、壁面フックのコストも余分にかかってしまう。
【０００８】本発明は、上記問題点を解決するため、製造が容易で、簡単な操作で、移動も簡単にでき、使用場所の制限も少ない、安価で使い勝手の良い自立式の水切りコップを提供することを目的とするものである。
【問題を解決するための手段】
【０００９】以上の目的を達成するために、本発明の自立式水切りコップは、コップ本体の一部に持ち手を備えたコップであり、持ち手部分を下にしてコップ本体を支えれるように形成されており、洗面台等に載置した際に、コップ本体の開口部が斜下向きになるように設計されているものである。
【発明の効果】
【００１０】本発明の自立式水切りコップは、壁面フック等を使用することなく、持ち手の形成を発明したことにより、コップ自体の載置方法を変え、本体の開口部を斜下向きにすることにより簡単にコップの水切りができるものである。これによりコップの移動も簡単で、衛生的に使用することができる。
【発明を実施するための最良の形態】
【００１１】本実施形態の自立式水切りコップ１は、ポリプロピレン樹脂を抽出成型したもので、図２に示すように、コップ本体２と、コップ本体２に一体形成された持ち手３を備えている。【００１２】コップ本体２は、円盤状の底部４と底部４の周縁部から立ち上がる側面部５とを備え、上部に開口部を有している。【００１３】持ち手３は、成型された本体部７と、本体部７の一端部に延設される上方側連結部８と、本体部７の他端部に延設される下方側連結部９とを備えている。【００１４】持ち手３の形状は、図３に示すように本体部７の上部が外側に彎曲した状態で広がっており下部は彎曲を保った状態で巾が狭くなっている。これにより図５に示すように、持ち手部分を下にして置いた状態でのコップ本体の安定を保つのと同時に、持ち手本体７を外側に彎曲させることにより、接地面を少なくし、衛生的にしている。【００１５】持ち手３の上方側連結部８の長さは、図４に示すように、下方側連結部９より短くなっており、これにより、持ち手を下にしてコップを置いた場合にコップ本体の開口部が斜下向きになる。また、連結部８、９の長さはコップを置いたときに開口部がコップを置いた台と接触しないように設計する。【００１６】本実施形態の自立式水切りコップを水切りする際には、図４に示すように持ち手３を下にした状態で洗面台等に置くだけで開口部が斜下を向き、平らな場所であれば簡単に水切りができる。【００１７】持ち手３の形状は、上記の形状に限られず、持ち手を下にして本体開口部が斜下を向く形状であれば良い。例えば、図５に示すように持ち手全体が巾の太いもので、持ち手を下にしてコップを置いた状態でコップ本体が安定していれば良い。【００１８】また、図５の１０に示すように持ち手３の一部にゴム製の樹脂を使用したり、すべり止めを貼付けてもよい。【００１８】また、自立式水切りコップは、ポリプロピレン樹脂製に限られず、熱可塑性の他の合成樹脂で形成してもよいし、金属やガラスなどで形成してもよい。
【図面の簡単な説明】
【００１９】
【図１】本発明に係る１実施形態の自立式水切りコップを洗面台等に置いた状態を示す斜視図。
【図２】図１に示す自立式水切りコップの斜視図。
【図３】図１に示す自立式水切りコップの持ち手部分の拡大図。
【図４】図１に示す自立式水切りコップの側面図。
【図５】本発明に係る他の実施形態の自立式水切りコップの斜視図。
【符号の説明】
【００２０】１        自立式水切りコップ
２        コップ本体
３，３ａ  持ち手
６        開口部
７，７ａ  持ち手本体部
８，８ａ  持ち手上方側連結部
９．９ａ  持ち手下方側連結部
【図１】
2006095257.tif 000003
【図２】
2006095257.tif 000004
【図３】
2006095257.tif 000005
【図４】
2006095257.tif 000006
【図５】
2006095257.tif 000007
(57)【要約】【課題】油で指がベトつかず、熱さにも困らず、食事ができるように、キッチンペーパー等をラップフィルム等で片面又は両面を覆ったシートを作り、ナプキンタイプ、二，三  五本指袋タイプのものを提供する。【解決手段】キッチンペーパー等とラップフィルム等（アルミホィール可）を接着させたことにより、食品の油水分等が、指、手に染みてこず、やや部厚めのペーパーを使うことにより熱さにも強く食べやすくなることを特徴とする。【選択図】図１
2006095255.tif 000002
【特許請求の範囲】
【請求項１】
一枚のキッチンペーパー等のどちらか片面又は両面をラップフィルム等（アルミホィール可）で覆い、これで、ナプキンタイプ、五本指手袋タイプ、三本指タイプ、二本指タイプを作る
【発明の詳細な説明】
【発明の詳細な説明】
【技術分野】
【０００１】この発明は一枚のキッチンペーパー等の片面または両面をラップフィルム等（アルミホィール可）で覆い、ペーパーナプキンタイプ、手袋タイプ、二、三本指タイプにしたものに関するものである。
【背景技術】
【０００２】従来、ペーパーナプキン、キッチンペーパー、ラップフィルム、アルミホィール等は別々になっていた。
【発明が解決しようとする課題】
【０００３】これは、油っこいもの（フライドチキン、フライドポテトスペアリブ、豚足ｅｔｃ・・・を食べるときにペーパーナプキンではやっぱり染みてくるし、ラップフィルムやアルミホィールでは手触りが良くない。
本発明はこれらの欠点をなくすために考えられたものである。
【課題を解決するための手段】
【０００４】キッチンペーパー等にラップフィルム等（アルミホィール可）を片面又は両面に接着したシートを作りこれを基本に五本指、三本指タイプ、二本指タイプを作る。油等は染みてこない。
本発明は以上の構成よりなる手が油等で汚れないペーパーである。
【発明を実施するための最良の形態】
【０００５】  四タイプを一応考案したが、基本は同じなので三本指タイプで説明する。キッチンペーパー等で三本指（親指、人差し指、中指）の手袋（指袋）を作り表面をラップフィルム等（アルミホィール可）で接着して覆う。これが基本。もう一歩進めて指袋の内部もラップフィルム等で覆った断面図としてはペーパーをラップで両面から覆ったサンドイッチ状にしたものもある。
本発明は、以上の構成よりなる油等で手が汚れないペーパー（二，三指袋、および五本指手袋）になる。
【発明の効果】
【０００６】ラップフィルム等で覆われているので、けして油が染みてこない。
熱い食品であればキッチンペーパー等を少し分厚いものにする。
レストランとかにある紙ナプキンタイプ、二本指タイプはフライドポテト等、三本指タイプは大人が（マニュキュアした女性とか）手を汚さずチキンやフライドポテト、スペアリブ、豚足を食べられるように、五本指手袋タイプは介護老人用、あるいは小型にして、幼児の手が汚れないようにと利用する。
【図面の簡単な説明】
【図１】本発明の片面ラップで覆った三本指タイプの分解斜視図。
【図２】本発明の図１の親指の断面図。
【図３】本発明の両面（外部も内部もラップで覆ったタイプ）の親指の断面図。
【符号の説明】
2006095255.tif 000003
【図１】
2006095255.tif 000004
【図２】
2006095255.tif 000005
【図３】
2006095255.tif 000006
【手続補正書】
【提出日】平成16年12月12日(2004.12.12)
【手続補正１】
【補正対象書類名】特許請求の範囲
【補正対象項目名】請求項１
【補正方法】変更
【補正の内容】
【請求項１】
一枚のキッチンペーパー等のどちらか片面又は両面をラップフィルム等（アルミホィール可）で覆い、これで、ナプキンタイプ、五本指手袋タイプ、三本指タイプ、二本指タイプ、一本指（つまり親指、人差指別々）、親指と残り四指をまとめた鍋つかみ風、親指と人差指プラス中指の変則二本指タイプ、またラップも指半分のみを覆うタイプ、・・・などを作る。
(57)【要約】【課題】  液体容器を安定して置く台であって、とくにマニキュアの使用時に、ハケにマニキュア液をつけやすくするための容器を支持する安定置き台を提供する。【解決手段】  風船状ゴム皮膜体の中に焼いたサラサラの砂を入れ、全体をクッション状にして、それをマニキュアの台として使用、マニキュア瓶を傾斜させたまま、安定して置くことができる台。【選択図】  図１
2006095251.tif 000002
【特許請求の範囲】
【請求項１】
風船状ゴム皮膜体の中に焼却した砂を入れ、全体をクッション状にして、マニキュア瓶を傾斜させたまま設置し、かつ、そのまま使用することを特徴とする容器を安定に置く台。
【発明の詳細な説明】
【技術分野】
【０００１】  本発明は、液体容器を安定して置く台であって、とくにマニキュアの使用時に、刷毛にマニキュア液をつけやすくするための容器を支持する安定置き台である。
【背景技術】
【０００２】  従来、半分以下に減ったマニキュアを使用する時、平らな場所に立てた状態では刷毛にマニキュア液は、先端しか届いていない。そのため、たっぷりの液をつけるためには、傾けなければならない。片方の手で瓶を持ち、もう片方の手で刷毛のついた蓋を持ち、刷毛に液が、たっぷりつくによう傾けながら使用していた。
【発明の開示】
【発明が解決しようとする課題】
【０００３】  そのために、次のような問題点があった。
両手の爪にマニキュアを塗るには、マニキュア瓶を何度も傾けることが必要である。特に、開栓後のマニキュアは、凝固しやすくなり、残量が少量になると刷毛がマニキュア液に届きにくくなる。瓶を傾けながら、マニキュアを爪に塗る作業は、時間を要す上、凝固したり、刷毛に届きにくくなったりで、マニキュアを塗る作業は、更に時間を要し、その結果、マニキュアを破棄することとなる。
本発明は以上の問題点を解決しようとするものである。
【課題を解決するための手段】
【０００４】  風船状ゴム皮膜の中に焼いたサラサラの砂を入れ、全体をクッション状にする。それをマニキュアの台として使用する。マニキュア瓶を傾斜させたまま、この台に載せて安定して置くことができる。
【発明の効果】
【０００５】  本発明は、マニキュアの量に合わせて、マニキュア瓶を傾けたまま安定して置く事によって、いつも刷毛にマニキュア液は届いている状態を作りだす。したがって、塗る度に手で、マニキュアを傾ける行為をしなくて済み、時間も短縮できる。
【発明を実施するための最良の形態】
【０００６】以下、本発明の実施の形態を説明する。
（イ）断面が楕円形の風船状からなるゴム皮膜体（１）の一端に、口部（３）を設ける。
（ロ）焼却してサラサラ状にした砂（２）をゴム皮膜体（１）に、ゴム皮膜体（１）の全収容量に対して砂（２）を７０％〜９０％収容する。
（ハ）口部（３）は結合して止め、皮膜体（１）の内側に押し込む。
本発明は、以上の構成よりなる。本体のゴム皮膜体（１）の上部に、マニキュア容器（４）を載せて上から、軽く押さえつけることにより、ゴム皮膜体（１）の内側で、砂（２）が移動して適当な凹みを形成させる。そして、瓶容器を傾斜させたまま安定して設置できる。
マニキュア液の残量が少なくても、刷毛（５）に液がつきやすく、握り部（６）を指で持って容易に塗りやすい。
【図面の簡単な説明】
【０００７】
【図１】本発明の斜視図
【図２】本発明の断面図
【図３】本発明の使用状態を示す断面図
【符号の説明】
【０００８】    １  ゴム皮膜体
２  砂
３  口部
４  マニキュア容器
５  ハケ
６  握り部
【図１】
2006095251.tif 000003
【図２】
2006095251.tif 000004
【図３】
2006095251.tif 000005
(57)【要約】【課題】本発明は、作業を簡素化させる上、アッパーとタグとの間の接着力が強いアッパーへのタグ付け方法を提供しようとすることを目的とする。【解決手段】本発明は、表面に保護層が形成されたアッパーの所定位置をレーザビームで前記保護層を照射しタグ貼着エリアを形成するレーザ処理工程と、前記アッパーの前記タグ貼着エリアに接着剤を塗布する接着剤塗布工程と、前記タグ貼着エリアにタグを付けるタグ付け工程とを含むことを特徴とするアッパーへのタグ付け方法を提供する。【選択図】図２
2006095046.tif 000002
【特許請求の範囲】
【請求項１】
表面に保護層が形成されたアッパーの所定位置をレーザビームで前記保護層を照射しタグ貼着エリアを形成するレーザ処理工程と、
前記アッパーの前記タグ貼着エリアに接着剤を塗布する接着剤塗布工程と、
前記タグ貼着エリアにタグを付けるタグ付け工程とを含むことを特徴とするアッパーへのタグ付け方法。
【請求項２】
前記タグ貼着エリア以外の表面を前記接着剤から保護するために、前記レーザ処理工程を行う前に、予め剥離可能な保護膜を前記タグ貼着エリアを含めた前記アッパーの前記保護層の上に貼着しておく保護膜貼着工程を行い、
前記レーザ処理工程を行う際に、前記保護膜を含めた前記保護層の前記タグ貼着エリアにあたる所定の位置をレーザビームで溶融して前記タグ貼着エリアを形成することを特徴とする請求項１に記載のアッパーへのタグ付け方法。
【請求項３】
前記接着剤塗布工程を行った後、前記アッパーから前記保護膜を剥離する保護膜剥離工程を行うことを特徴とする請求項２に記載のアッパーへのタグ付け方法。
【発明の詳細な説明】
【技術分野】
【０００１】
本発明はタグを靴のアッパーに固着するアッパーへのタグ付け方法に関する。
【背景技術】
【０００２】
従来から、靴のアッパーに、商標や装飾のためのタグを付けることがある。ところが、アッパーの表面に、艶出しや防水、防塵などのために、平滑な保護層が形成されているので、接着剤でタグをアッパーにつけるのは、アッパーとタグとの間の接着力が弱いという問題点がある。
【０００３】
上記問題点を解消するためには、図１に示すような方法が提案されている。この方法においては、図示のように、アッパー１に孔１０１を開けてから、タグ２を孔１０１に入れて縫い合わせにより、タグ２をアッパー１に固着する。この方法は単に接着剤を使用してタグをアッパーに付ける方法に比べると、タグ２をしっかりアッパー１に固着するが、孔開け工程及び縫い合わせ工程が繁雑でかなり時間がかかるという欠点がある。
【発明の開示】
【発明が解決しようとする課題】
【０００４】
上記に鑑みて、本発明は、作業を簡素化させる上、アッパーとタグとの間の接着力が強いアッパーへのタグ付け方法を提供しようとすることを目的とする。
【課題を解決するための手段】
【０００５】
前記目的を達成するために、本発明は、表面に保護層が形成されたアッパーの所定位置をレーザビームで前記保護層を照射しタグ貼着エリアを形成するレーザ処理工程と、前記アッパーの前記タグ貼着エリアに接着剤を塗布する接着剤塗布工程と、前記タグ貼着エリアにタグを付けるタグ付け工程とを含むことを特徴とするアッパーへのタグ付け方法を提供する。
【発明の効果】
【０００６】
上記本発明のアッパーへのタグ付け方法によれば、レーザビームを使用してタグ貼着エリアを形成するので、アッパーに孔を開けてから縫い合わせにより、タグをアッパーにつける従来の方法より作業を簡素化させることができる。
【０００７】
また、前記レーザ処理工程は、レーザビームの設定条件及び／または保護層の材質によって多種多様あるが、前記保護層の前記タグ貼着エリアにあたる所定の位置をレーザビームで照射溶融して孔を形成し、且つ溶融した保護層を粒状またはランダンに凝結させ該孔内のアッパー表面を粗化させる方法、及び、前記保護層の前記タグ貼着エリアにあたる所定の位置をレーザビームで照射気化して孔を形成すると共に、でこぼこの残留を残し該孔内のアッパー表面を粗化させる方法などが挙げられる。いずれも、前記タグ貼着エリアを粗化させることができるので、アッパーとタグとの間の接着力を強くさせることができる。
【０００８】
なお、前記タグ貼着エリア以外の表面を前記接着剤から保護するために、前記レーザ処理工程を行う前に、予め剥離可能な保護膜を前記タグ貼着エリアを含めた前記アッパーの前記保護層の上に貼着しておき、前記溶融工程を行う際に、前記保護膜を含めた前記保護層の前記タグ貼着エリアにあたる所定の位置をレーザビームで溶融して前記タグ貼着エリアを形成することが好ましい。もちろん、前記保護膜の採用は、その性質が前記保護層と同じように、レーザビームの照射により溶融されたりまたは気化されたりすることができるものが要件である。
【発明を実施するための最良の形態】
【０００９】
以下、図２乃至図５を参照しながら、本発明のアッパーへのタグ付け方法の実施形態を説明する。
【００１０】
図２及び図３に示すように、まず、表面に保護層１１が形成されたアッパー１０を用意する。そして、予め剥離可能な保護膜（３０）をタグ貼着エリアにあたる所定の位置を含めたアッパー１０の保護層１１の上に貼着しておく（保護膜貼着工程）。
【００１１】
それから、図４に示すように、レーザ装置１００からのレーザビームで保護膜３０を含めた保護層１１の前記タグ貼着エリアにあたる所定の位置を照射してタグ貼着エリア１２を形成する（レーザ処理工程）。
【００１２】
そして、図５に示すように、アッパー１０のタグ貼着エリア１２に接着剤４０を塗布する（接着剤塗布工程）。その後、アッパー１０から保護膜３０を剥離する（保護膜剥離工程）。そして、タグ貼着エリア１２にタグ２０を付ける（タグ付け工程）。このようにして、タグ２０をしっかりアッパー１０のタグ貼着エリア１２に固着することができる。
【産業上の利用可能性】
【００１３】
上記のように、本発明は、レーザビーム及び接着剤を使用してタグをアッパーにつけるので、アッパーに孔を開けてから縫い合わせにより、タグをアッパーにつける従来の方法より作業を簡素化させることができる上、前記レーザビームで前記タグ貼着エリアを粗化させるため、アッパーとタグとの間の接着力を強くさせることができる。
【図面の簡単な説明】
【００１４】
【図１】タグを縫い合わせによりアッパーへ接着する方法を示す説明図
【図２】本発明のアッパーへのタグ付け方法の実施形態の流れを示すフローチャート
【図３】本発明のアッパーへのタグ付け方法の実施形態の流れを示す説明図
【図４】本発明のアッパーへのタグ付け方法の実施形態の流れを示す説明図
【図５】本発明のアッパーへのタグ付け方法の実施形態の流れを示す説明図
【図６】本発明のアッパーへのタグ付け方法の実施形態の流れを示す説明図
【符号の説明】
【００１５】
１０      アッパー
１１      保護層
１２      タグ貼着エリア
２０      タグ
３０      保護膜
４０      接着剤
１００    レーザ装置
【図１】
2006095046.tif 000003
【図２】
2006095046.tif 000004
【図３】
2006095046.tif 000005
【図４】
2006095046.tif 000006
【図５】
2006095046.tif 000007
【図６】
2006095046.tif 000008
(57)【要約】【課題】呼出が行われてから患者の下に看護師が到着するまでに掛かる時間を客観的かつ統計的処理が可能なよう自動的に集録し、そのデータを提供しようとするものである。【解決手段】タイマーおよびタイマーの値を記憶する記憶手段を有する親機と、患者近傍に配される呼出子機および復旧手段とからなるナースコールシステムを構成し、タイマーは呼出子機からの呼出が発生すると動作を始め復旧手段により呼出が復旧されると動作を停止し、記憶手段はタイマーの動作が停止したときの値を記録することにより課題を解決する。【選択図】図１
2006095036.tif 000002
【特許請求の範囲】
【請求項１】
タイマーおよび記憶手段を有する親機と患者近傍に配される子機および復旧手段とからなるナースコールシステムであり、
前記タイマーは前記子機からの呼出が発生すると動作を始め前記復旧手段により呼出が復旧されると動作を停止し、
前記記憶手段は前記タイマーの動作が停止したときの値を記録する
ことを特徴とするナースコールシステム。
【発明の詳細な説明】
【技術分野】
【０００１】
本発明はナースコールシステムに関する。
【背景技術】
【０００２】
ナースコールシステムはナースセンター等に設置される親機と、患者が看護師を呼ぶ際に操作する子機、親機と子機を中継する廊下灯などから構成される。また、昨今では看護師に無線端末を所持させ、その端末が呼出を知らせる場合も増えてきた。
【特許文献１】特開2003-126183 公報
【発明の開示】
【発明が解決しようとする課題】
【０００３】
昨今の看護師不足等のおり、患者の呼出に十分対応できない場合がある。すなわち、呼出が行われてから患者の下に看護師が到着するまでに時間が掛かる。  医療現場において、この時間は命に係ることはもちろんホスピタリティー示す重要なファクターである。ところで、上記のように重要なファクターである時間を客観的かつ統計的処理が可能なようにデータ化する試みは従来されていなかった。そこで本発明は、上記に時間を自動的に集録し、そのデータを提供しようとするものである。    
【課題を解決するための手段】
【０００４】
タイマーおよびタイマーの値を記憶する記憶手段を有する親機と、
患者近傍に配される呼出子機および復旧手段とからなるナースコールシステムを構成し、タイマーは呼出子機からの呼出が発生すると動作を始め復旧手段により呼出が復旧されると動作を停止し、記憶手段はタイマーの動作が停止したときの値を記録することにより課題を解決する。
【発明の効果】
【０００５】
呼出が行われてから患者の下に看護師が到着するまでに時間が自動的にデータ化、記録されるので把握することができる。  また、データを集計し統計的処理／解析を行えば患者毎、時間毎、曜日毎等のデータを得ることが可能である。  
【発明を実施するための最良の形態】
【０００６】
以下、本発明の一実施例を図面に基づいて説明する。  図１は本発明構成する一例である。  ナースセンタ等に設置されるナースオール親機と、ＰＢＸ、無線基地局を介して親機に接続される無線端末。  無線端末は看護師等が所持しており、ナースセンタに居なくても呼出を知ることができる。        
【０００７】
そして、個別情報廊下灯（廊下灯）を介してナースコール子機（子機）が親機と接続される。  また、親機は院内システムのネットワークを介してコンピュータ端末等に接続される。        
【０００８】
看護師に用が有ると、患者は子機を操作してナースコールを掛ける。  子機は呼出スイッチと、自己保持回路を有しており、患者が呼出スイッチを一押しすれば自己保持作用で呼出しが継続される。        
【０００９】
呼出しに応じて看護師は患者の下に行き復旧作業を行う。  復旧作業は子機又は廊下灯等に配置されている復旧スイッチを押すことにより成される。  復旧スイッチが押されると、前述の自己保持機能が解除され、呼出は停止する。        
【００１０】
以上が本発明および従来のナースコールシステムの一連の動作である。        
【００１１】
次に図２のフローチャートを用いて本発明の特徴である、タイマーおよび記憶手段の動作を説明する。        
【００１２】
親機は呼出が発生すると発音、発光等で呼出を通知する、このときＰＢＸ等を介して無線端末にも同様の通知を行わせる。  次に呼出を行った子機のＩＤを読み出し記録する。  更にタイマーをクリアし、タイムアップを開始する。        
【００１３】
復旧されると、タイムアップを停止し、タイマー値を先に記憶した子機ＩＤと関連付け記憶する。  なお、タイマーは時計でもよく、その際には、呼出開始時刻と同停止時刻を記憶する。        
【００１４】
図３は上記で記憶されたデータのデータテーブルのイメージである。このような様式でプリントアウトして用いれば客観的にデータが示される。また、このデータを表計算ソフト等を用い統計的処理を行えば、更なる活用が期待できる。    
【図面の簡単な説明】
【００１５】
【図１】・・・本発明のシステム構成例
【図２】・・・本発明のフローチャート
【図３】・・・本発明のデータテーブルイメージ
【図１】
2006095036.tif 000003
【図２】
2006095036.tif 000004
【図３】
2006095036.tif 000005
(57)【要約】 【課題】  外出した際ブーツを脱いだりした時、ブーツが足首の部分から折れ曲がったり倒れてしまわないように伸縮性の器具や膨張性の器具で固定する器具を提供する。【解決手段】伸縮性の器具、又は膨張性の物体を伸ばしたり膨張させたりする事で脱いだブーツが折れ曲がらず倒れたりしないで固定するものである。【選択図】  図１
2006095057.tif 000002
【特許請求の範囲】
【請求項１】
左右のブーツ内に挿入してブーツを保形するブーツ保形装置であって、ブーツ内に挿入させる保形体は流体が導入される事で膨出する構成であり、保形体は上部において管体により連結されこの管体には流体導入部が設けられ、更にこの管体には適当なキャラクター人形が設けられていることを特徴とするブーツ保形装置。
【請求項２】
ブーツの片方に請求項１の装置を入れ片方に補助する器具をつける事により固定するブーツ保形装置。
【請求項３】
左右のブーツ内に挿入してブーツを保形するブーツ保形装置であって、ブーツ内に挿入させる保形体は複数の細い板バネを有する棒状の管体であり板バネが伸びた状態で保形される構成であるブーツ保形装置。
【発明の詳細な説明】
【技術分野】
【０００１】
本発明は、伸縮性、又は膨張性の器具によりロングブーツが折れてしまわないように固定しておけるスタンドに関するものである。  
【背景技術】
【０００２】
昨今、冬に限らず女性の人、ミュージシャン、ライダーなどロングブーツを履く人が増えています。家や仕事場では、新聞紙などを丸めて入れておけば変形することもありません。しかし、外出先では体裁も悪く持ち運びも大変です。現在家で固定するスタンドはありますが、携帯で見た目の良い器具はありませんでした。
【０００３】
この改善策として、外出先にブーツを履いていった際ブーツが足首の部分から折れ曲がってしまわまいようにバッグから簡単に取り出して伸ばしてふくらまして固定してしまえば良い訳です。
【発明の開示】
【発明が解決しようとする課題】
【０００４】
ブーツが足首の部分から折れ曲がったり倒れてしまわないように伸縮性の器具、又は膨張性の器具で固定するものである。
【課題を解決するための手段】
【０００５】
本発明は、図１のように携帯用の自転車ボンベにより空気弁の付いた口にガス又は空気を入れる事によりフウセンを膨張させて固定するものです。
図２のように、片方に図１の器具も入れ片方を補助する器具で固定するものです。
図３のように、伸縮性の器具により縮めて持ち運べ易く、伸ばしてブーツを固定する事のできるものです。又見た目も良い。
【発明の効果】
【０００６】
本発明は、必要な時伸ばしたり膨らませる事により、時間と場所を選ばずに使用することができる。ブーツが立っている状態なので遠くからも自分のブーツと他人のブーツの区別が簡単である。
【発明を実施するための最良の形態】
【０００７】
携帯の為、大きすぎず重すぎずブーツの状態に応じて使い分けことが出来るものです。本発明をブーツに挿入して膨張させる事によりブーツを固定する事を実施した。
【実施例】
【０００８】
図１は本発明の斜視図であり２の部分をブーツの入り口より挿入して１の部分の空気弁の付いた口より空気、又はガスを入れる事により２の部分を膨張させてブーツを固定するものである。
【０００９】
図２は、本発明の斜視図であり２の部分をブーツの入り口の片方に挿入して１の部分の空気弁の付いた口より空気、又はガスを入れることにより２の部分を膨張させて固定し片方をクリップで止め固定するものである。
【００１０】
図３は、本発明の正面透視図である。キャラクター人形の足の部分を縮んだ（膨張しない）状態４で持ち運び易く、伸びた（膨張した）状態でブーツの履き口より挿入して固定するものである。
【図面の簡単な説明】
【００１１】
【図１】請求項１考案の斜視図と正面透視図である。
【図２】請求項２考案の斜視図と正面透視図である。
【図３】請求項３考案の正面透視図である。
【符号の説明】
【００１２】
１  空気弁のついた器具
２  フウセン
３  クリップ
４  伸縮性の器具（縮んだ状態）
５  伸縮性の器具（伸びた状態）  
【図１】
2006095057.tif 000003
【図２】
2006095057.tif 000004
【図３】
2006095057.tif 000005
(57)【要約】【課題】  流水スイッチの誤動作により、空炊きが生じているにもかかわらず、発振出力が停止せず、超音波振動子が破壊されるという点である。【解決手段】  流水ハウジング１の振動子装着部１ａの一端に超音波振動子２がバック材３によって装着され、この超音波振動子２の超音波放射面に洗浄液を供給する流入口１ｂが振動子装着部１ａの側壁に装着され、又、振動子装着部１ａの他端から振動子装着部１ａの側壁の厚さとほぼ同じ厚さで斜めに形成した傾斜壁１ｃが設けられ、流水ハウジング１の超音波振動子２の前面に薄い合成樹脂で構成された伝播媒体保持部材４が装着され、この伝播媒体保持部材４と超音波振動子２の間に液体状の超音波伝播媒体５が保持されている。【選択図】図１
2006095461.tif 000002
【特許請求の範囲】
【請求項１】
超音波振動子を装着した振動子装着部と、前記超音波振動子の超音波放射面に超音波伝播媒体を保持する伝播媒体保持部材と、該伝播媒体保持部材近傍からから斜めに傾斜して端部に細く絞った流出口を設けた傾斜壁からなる流水ハウジングと、前記伝播媒体保持部近傍の側壁に装着した洗浄液を供給する供給口とからなることを特徴とする超音波洗浄装置。
【請求項２】
前記伝播媒体保持部材は薄い合成樹脂で構成されていることを特徴とする請求項１記載の超音波洗浄装置。
【請求項３】
前記超音波伝播媒体は水であることを特徴とする請求項１記載の超音波洗浄装置。
【請求項４】
前記超音波伝播媒体はジェルであることを特徴とする請求項１記載の超音波洗浄装置。
【発明の詳細な説明】
【技術分野】
【０００１】
本発明は、流水ハウジング内に洗浄液が供給されない場合に空炊きを防止するようにした超音波洗浄装置に関するものである。
【背景技術】
【０００２】
従来、この種の超音波洗浄装置としては、図４に示すように、流水ハウジング１の振動子装着部１ａの一端に超音波振動子２がバック材３によって装着され、この超音波振動子２の超音波放射面に洗浄液を供給する流入口１ｂが振動子装着部１ａの側壁に装着され、又、振動子装着部１ａの他端から振動子装着部１ａの側壁の厚さとほぼ同じ厚さで斜めに形成した傾斜壁１ｃが設けられ、この傾斜壁１ｃの細く絞った端部に流出口１ｄが形成された装置が提案されており、このような超音波洗浄装置では、空炊きを防止するために、流出口１ｄの近傍に流水スイッチを設け、洗浄液が不足した場合、流水スイッチを動作して、超音波振動子２に供給される発振出力を停止するようにしている。
【０００３】
しかしながら、このような超音波洗浄装置では、洗浄液が不足した場合、スイッチの接点の間に異物が詰まったり、又、水スイッチの誤動作により、流水ハウジング内に供給される洗浄液が不足しているにもかかわらず、発振出力を停止せず、振動子が無負荷状態になり、空炊きが発生して、超音波振動子が破壊されるという問題がある。
【特許文献１】特願２００１−３６６４３２
【発明の開示】
【発明が解決しようとする課題】
【０００４】
解決しようとする問題点は、従来の超音波洗浄装置では、流水スイッチの誤動作により、空炊きが生じているにもかかわらず、発振出力が停止せず、超音波振動子が破壊されるという点である。
【課題を解決するための手段】
【０００５】
本発明では、振動子装着部に超音波振動子が装着され、伝播媒体保持部材によって超音波振動子の超音波放射面に超音波伝播媒体が保持され、流水ハウジングは伝播媒体保持部近傍からから斜めに傾斜して端部に細く絞った流出口を設けた傾斜壁が形成され、洗浄液を供給する供給口は伝播媒体保持部材の近傍の側壁に装着されているものである。
【発明の効果】
【０００６】
本発明の超音波洗浄装置では、超音波振動子の前面に伝播媒体保持部材を設けて、超音波伝播媒体を保持することにより、伝播媒体保持部材の近傍に洗浄液がなくなっても、超音波振動子は超音波伝播媒体によって空炊き状態にならず、従って、洗浄液が供給されなくても、すぐに超音波振動子が破壊されることがないという利点がある。
【発明を実施するための最良の形態】
【０００７】
本発明では、ハウジング内の超音波振動子の前面に超音波伝播媒体を保持し、超音波伝播媒体の近傍に洗浄液を供給することにより、仮に洗浄液が供給されない場合があっても、超音波振動は超音波伝播媒体によって負荷がかかるため、超音波振動子が破壊されることがない。
【実施例】
【０００８】
図１は本発明の実施例の超音波洗浄装置の斜視図で、１は流水ハウジング、２は超音波振動子、３はバック材で、これらの構成は上記従来例と同じであるので、説明は省略するが、本実施例では、流水ハウジング１の超音波振動子２の前面に薄い合成樹脂で構成された伝播媒体保持部材４が装着され、この伝播媒体保持部材４と超音波振動子２の間に液体状の超音波伝播媒体５が保持されている。
【０００９】
このように構成された本実施例の超音波洗浄装置では、このように超音波振動子の前面に伝播媒体保持部部材４で超音波伝播媒体５を保持することにより、流入口１ｂから洗浄液が流入されなくても、超音波振動子２で発生する超音波振動は超音波伝播媒体４で吸収され、従って、超音波振動子２の空炊きにより、超音波振動子２が破壊されることがない。
【産業上の利用可能性】
【００１０】
なお、上記実施例では、伝播媒体保持部材４に薄い合成樹脂で構成するようにしたが、超音波伝播媒体５がジェル状のものであれば、伝播媒体保持部材４を省いても良い。
【図面の簡単な説明】
【００１１】
【図１】本発明の実施例の超音波洗浄装置の側面断面図である。
【図２】従来の他の超音波洗浄装置の断面図である。
【符号の説明】
【００１２】
１                ハウジング
２                超音波振動子
３                バック材
４                伝播媒体保持部材
５                超音波伝播媒体
【図１】
2006095461.tif 000003
【図２】
2006095461.tif 000004